(57)【特許請求の範囲】
【請求項１】
使用者からの呼気を含む顔面付近の空気を吸引するように、使用者の顔面付近に配置された吸気口を有する吸気部と、
前記吸気部から吸引された空気を通過させながら熱処理する熱処理部と、
前記熱処理部で熱処理された空気を冷却する冷却部と、
前記冷却部で冷却された空気を使用者の口および鼻付近に供給するように、使用者の顔面付近に配置された供給口を有する供給部と、
前記吸気部から前記供給部まで空気を通過させるように空気を送る送気装置と、
を備え、
前記熱処理部は、
空気を加熱する加熱部と、
前記加熱部によって加熱された空気をさらに加熱および／または保温しながら前記冷却部に向けて送る送気処理部と、
を有し、
前記熱処理部による熱処理は、空気に含まれる病原体を消毒または不活化させるための処理温度と処理時間を含む熱処理条件に基づいて行われる、
感染症予防装置。
【請求項２】
空気に含まれる病原体を消毒または不活化させるための処理温度と処理時間を含む熱処理条件を満たすように、前記熱処理部および前記送気装置の駆動を制御する制御部をさらに含み、
前記制御部は、
処理温度と処理時間の組み合わせを含む、複数の熱処理条件を記憶する熱処理条件記憶部と、
前記熱処理条件記憶部に記憶された複数の熱処理条件のうち、選択された熱処理条件を満たすように前記熱処理部および前記送気装置の駆動を制御する駆動制御部と、
を有する、
請求項１に記載の感染症予防装置。
【請求項３】
使用者の活動レベルに関する情報である活動情報を取得する活動情報取得部をさらに有し、
前記熱処理条件記憶部は、熱処理条件と空気供給量の組み合わせを含む複数の熱処理モードを記憶し、
前記制御部は、前記活動情報取得部によって取得された活動情報に基づいて、前記熱処理条件記憶部に記憶された複数の熱処理モードのうち、使用者の活動レベルに応じた空気供給量となる熱処理モードを選択する、熱処理モード判定部をさらに有し、
前記駆動制御部は、
前記熱処理モード判定部によって選択された熱処理モードが実行されるように前記熱処理部および前記送気装置の駆動を制御する、
請求項２に記載の感染症予防装置。
【請求項４】
前記送気処理部は、複数の曲折部が設けられている、
請求項１から請求項３のいずれか１項に記載の感染症予防装置。
【請求項５】
前記冷却部は、前記熱処理部から送気された空気を放熱させながら前記供給部に向けて送気する、
請求項１から請求項４のいずれか１項に記載の感染症予防装置。
【請求項６】
前記加熱部および前記送気処理部を収容するとともに、使用者によって携帯可能となるように構成されている筐体と、
使用者の頭部付近に装着され、前記吸気部および／または前記供給部を使用者の顔面付近に支持する支持部と、
をさらに備える、
請求項１から請求項５のいずれか１項に記載の感染症予防装置。
【発明の詳細な説明】
【技術分野】
【０００１】
本発明は、空気感染および飛沫感染による感染症を予防する感染症予防装置に関する。
【背景技術】
【０００２】
細菌やウイルスなどの病原体に感染した感染者が呼吸、会話、咳、くしゃみなどをすると、病原体が多く含まれた飛沫が感染者の周囲に飛散することが知られている。この飛沫が飛び散る範囲は、粒子の大きさと室内の気流によっては数メートルに達することもある。また、飛沫が乾燥してできる病原体の芯（飛沫核）は、粒子が小さいため、床面にすぐに沈着せずに数時間以上室内を漂う可能性がある。
【０００３】
このような病原体が含まれた飛沫や飛沫核を別の人が吸い込むと、吸い込んだ人も病原体に感染することとなる。飛沫や飛沫核に含まれた病原体を吸い込むことによって感染する感染経路を空気感染や飛沫感染という（例えば、特許文献１参照）。
【０００４】
感染者がマスクを装着することは、空気感染や飛沫感染による感染リスク低減に効果があるとされている。しかしながら、マスクは口および鼻を覆うものであるため、飲食時等にはマスクを外したり、息苦しさを感じてマスクを外す場合があるなど、マスクを常時装着することは困難である。このため、マスクだけで感染リスクを低減させることは難しい。
【０００５】
室内の換気を行って飛沫や飛沫核を室外に排出することも、感染リスク低減に一定の効果があるとされている。しかしながら、窓開け換気を行う場合でも、外気の風向・風速、窓の形状によって換気量が異なることや、部屋の使用目的や季節等によっては十分な窓開け換気を行うことが難しい場合がある。
【０００６】
空気清浄機を室内に設置して、フィルターで飛沫や飛沫核を除去することも空気感染や飛沫感染予防に有効であるとされている。しかしながら、フィルターによって粒子捕集効率は異なっており、病原体の種類によっては効果が小さい場合がある。また、フィルターは消耗品であり、フィルター交換等のメンテナンスが必要となる。
【０００７】
抗ウイルス剤などの消毒薬や、オゾン、紫外線等を用いて病原体を消毒することも考えられる（例えば、特許文献１参照）。しかしながら、抗ウイルス剤等のなかには生体に対する毒性を有するものもあり、特に室内や車内などの閉鎖空間でのこれらの使用は困難である。
【先行技術文献】
【特許文献】
【０００８】
【特許文献１】特開２０１１−０１５６１８
【発明の概要】
【発明が解決しようとする課題】
【０００９】
一方、熱を利用することによる病原体の消毒または不活化は、例えば医療用器具の消毒などに利用されている。熱を利用した病原体の消毒または不活化は、消毒薬のように生体に対する毒性がなく、空気清浄機のようにフィルター交換等のメンテナンスが不要であるなどの利点がある。
【００１０】
本発明は、上記課題に鑑みてなされたものであって、マスクのように口や鼻を覆うことなく飲食時等にも使用することができ、空気清浄機のようにフィルター交換等のメンテナンスが不要であり、消毒薬等のように生体に対して悪影響を及ぼすことなく、空気中の飛沫核や飛沫に含まれる細菌やウイルス等の病原体を消毒または不活化させることができ、これによって空気感染および飛沫感染による感染症を予防することができる、感染症予防装置を提供することを目的とする。
【課題を解決するための手段】
【００１１】
本発明の感染症予防装置は、
空気を吸引する吸気口を有する吸気部と、
前記吸気部から吸引された空気を通過させながら熱処理する熱処理部と、
前記熱処理部で熱処理された空気を冷却する冷却部と、
前記冷却部で冷却された空気を使用者に供給する供給口を有する供給部と、
前記吸気部から前記供給部まで空気を通過させるように空気を送る送気装置と、
前記熱処理部および前記送気装置の駆動を制御する制御部と、
を備え、
前記熱処理部は、
空気を加熱する加熱部と、
前記加熱部によって加熱された空気をさらに加熱および／または保温しながら前記冷却部に向けて送る送気処理部と、
を有し、
前記制御部は、空気に含まれる病原体を消毒または不活化させるための処理温度と処理時間を含む熱処理条件を満たすように、前記熱処理部および前記送気装置の駆動を制御する。
【発明の効果】
【００１２】
本発明の感染症予防装置によれば、マスクのように口や鼻を覆うことなく飲食時等にも使用することができ、空気清浄機のようにフィルター交換等のメンテナンスが不要であり、消毒薬のように生体に対して悪影響を及ぼすことなく、空気中の飛沫核や飛沫に含まれる細菌やウイルス等の病原体を消毒または不活化させることができ、空気感染および飛沫感染による感染症を予防することができる。
【図面の簡単な説明】
【００１３】
【図１】図１は、本発明の実施形態１に係る感染症予防装置を使用者が使用している状態を示す側面図である。
【図２】図２は、本発明の実施形態１に係る感染症予防装置を使用者が使用している状態を示す正面図である。
【図３】図３は、感染症予防装置の変形例を示す図である。
【図４】図４は、感染症予防装置の変形例を示す図である。
【図５】図５は、感染症予防装置の概略構成を示す図である。
【図６】図６は、装置本体の内部構造を示す図である。
【図７】図７は、熱処理制御システムの構成を示す概略図である。
【図８】図８は、使用者の活動レベルと呼吸率の関係を示す図である。
【図９】図９は、熱処理モード判定基準データに記録された使用者の活動レベル（カテゴリー）と熱処理モードについての関係を示す表である。
【図１０】図１０は、熱処理モード制御データに記録された熱処理モードと処理温度、処理時間、および空気供給量についての関係を示す表である。
【図１１】図１１は、本発明の実施形態２に係る感染症予防装置の使用状態を示す図である。
【図１２】図１２は、本発明の実施形態３に係る感染症予防装置の概略構成を示す図である。
【発明を実施するための形態】
【００１４】
本発明の一実施形態にかかる感染症予防装置は、
空気を吸引する吸気口を有する吸気部と、
前記吸気部から吸引された空気を通過させながら熱処理する熱処理部と、
前記熱処理部で熱処理された空気を冷却する冷却部と、
前記冷却部で冷却された空気を使用者に供給する供給口を有する供給部と、
前記吸気部から前記供給部まで空気を通過させるように空気を送る送気装置と、
前記熱処理部および前記送気装置の駆動を制御する制御部と、
を備え、
前記熱処理部は、
空気を加熱する加熱部と、
前記加熱部によって加熱された空気をさらに加熱および／または保温しながら前記冷却部に向けて送る送気処理部と、
を有し、
前記制御部は、空気に含まれる病原体を消毒または不活化させるための処理温度と処理時間を含む熱処理条件を満たすように、前記熱処理部および前記送気装置の駆動を制御する（第１の構成）。
【００１５】
上記構成によれば、吸気部で吸引された空気は、熱処理部を通過しながら所定の熱処理条件で熱処理されることにより、空気中の飛沫核や飛沫に含まれる細菌やウイルス等の病原体が消毒または不活化される。そして、熱処理部で熱処理された空気は、冷却部で冷却された後、供給部から使用者に供給される。
このため、マスクのように口や鼻を覆うことなく飲食時等にも使用することができ、空気清浄機のようにフィルター交換等のメンテナンスが不要であり、消毒薬のように生体に対して悪影響を及ぼすことなく、空気中の飛沫核や飛沫に含まれる細菌やウイルス等の病原体を消毒または不活化させることができ、空気感染および飛沫感染による感染症を予防することができる。
【００１６】
上記第１の構成において、
前記制御部は、
処理温度と処理時間の組み合わせを含む、複数の熱処理条件を記憶する熱処理条件記憶部と、
前記熱処理条件記憶部に記憶された複数の熱処理条件のうち、選択された熱処理条件を満たすように前記熱処理部および前記送気装置の駆動を制御する駆動制御部と、
を有してもよい（第２の構成）。
【００１７】
上記構成によれば、制御部は、選択された熱処理条件を満たすように前記熱処理部および前記送気装置の駆動を制御する。
このため、処理温度が比較的低く、処理時間が比較的長い熱処理条件が選択された場合、消費エネルギーを抑制しながら熱処理済みの空気を供給することができる。
また、処理温度が比較的高く、処理時間が比較的短い熱処理条件が選択された場合、熱処理に要する時間を短縮して、熱処理済みの空気の供給量を増大させることができる。
【００１８】
上記第２の構成において、
使用者の活動レベルに関する情報である活動情報を取得する活動情報取得部をさらに有し、
前記熱処理条件記憶部は、熱処理条件と空気供給量の組み合わせを含む複数の熱処理モードを記憶し、
前記制御部は、前記活動情報取得部によって取得された活動情報に基づいて、前記熱処理条件記憶部に記憶された複数の熱処理モードのうち、使用者の活動レベルに応じた空気供給量となる熱処理モードを選択する、熱処理モード判定部をさらに有し、
前記駆動制御部は、
前記熱処理モード判定部によって選択された熱処理モードが実行されるように前記熱処理部および前記送気装置の駆動を制御してもよい（第３の構成）。
【００１９】
上記構成によれば、制御部は、使用者の活動レベルに関する活動情報を取得し、使用者の活動レベルに応じた空気供給量となる熱処理モードを実行するように熱処理部および送気装置の駆動を制御する。
このため、使用者の活動レベルに応じて空気供給量を変更させることができる。
これにより、使用者の活動レベルが低く、必要な空気供給量が比較的少ない場合は、熱処理部を通過させる空気流量を少なくすることができるため、処理温度が比較的低く処理時間が比較的長い熱処理条件を選択して消費エネルギーを抑制することができる。
また、使用者の活動レベルが高く、必要な空気供給量が比較的多い場合は、熱処理部を通過させる空気流量を多くする必要があるため、処理温度が比較的高く処理時間が比較的短い熱処理条件を選択して空気流量を多くすることができる。
【００２０】
上記第１から第３の構成において、
前記送気処理部は、複数の曲折部が設けられていてもよい（第４の構成）。
【００２１】
上記構成によれば、送気処理部は、複数の曲折部が設けられているため、送気処理部内を通過する空気は撹拌されながら温度が均等になるように熱処理が行われる。
このため、空気に含まれる細菌やウイルス等をムラなく確実に消毒または不活化することができる。
【００２２】
上記第１から第４のいずれかの構成において、
前記冷却部は、前記熱処理部から送気された空気を放熱させながら前記供給部に向けて送気してもよい（第５の構成）。
【００２３】
上記構成によれば、冷却部は、熱処理部で加熱された空気を放熱させながら供給部に向けて送気する。
このため、熱処理された空気を冷却部で効率的に放熱冷却させることができ、冷却した熱処理済みの空気を供給部から使用者に向けて供給することができる。
【００２４】
上記第１から第５のいずれかの構成において、
前記加熱部および前記送気処理部を収容するとともに、使用者によって携帯可能となるように構成されている筐体と、
使用者の頭部付近に装着され、前記吸気部および／または前記供給部を使用者の顔面付近に支持する支持部と、
をさらに備えてもよい（第６の構成）。
【００２５】
上記構成によれば、使用者は筐体を携帯することができ、吸気部および／または供給部は、使用者の頭部付近に装着される支持部によって支持されている。
このため、使用者は安静にしている状態だけでなく、歩行や作業等を行いながら感染症予防装置を使用することができ、空気感染および飛沫感染による感染症を予防しながら、様々な活動を行うことができる。
【００２６】
上記第１から第５のいずれかの構成において、
前記加熱部および前記送気処理部は、使用者が内部に入ることが可能な閉鎖空間の内部または外部に設置されており、
前記吸気部は、前記閉鎖空間内の内部または外部の空気を吸引し、
前記供給部は、前記閉鎖空間内に、前記熱処理部および前記冷却部で処理された空気を供給してもよい（第７の構成）。
【００２７】
上記構成によれば、吸気部は、閉鎖空間の内部または外部の空気を吸引し、供給部は、閉鎖空間内に熱処理部および冷却部で処理された空気を供給する。
このため、細菌やウイルス等の病原体を消毒または不活化させた熱処理済みの空気を閉鎖空間内に供給することができ、閉鎖空間内における空気感染および飛沫感染による感染症を予防することができる。
【００２８】
［実施形態１］
以下、図面を参照し、本発明の実施形態１に係る感染症予防装置１００を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２９】
［全体構成］
まず、感染症予防装置１００の全体構成について説明する。図１は、本発明の実施形態１に係る感染症予防装置１００を使用者３００が使用している状態を示す側面図である。図２は、感染症予防装置１００を使用者３００が使用している状態を示す正面図である。
【００３０】
図１および図２に示すように、感染症予防装置１００は、装置本体１０、吸気部２０、および供給部３０を備えており、使用者３００が携帯して使用できるように構成されている。装置本体１０は、使用者３００が背負うことが可能な大きさであり、吸気部２０および供給部３０は、使用者３００の頭部３１０付近に配置されている。
【００３１】
吸気部２０からは、使用者３００の顔面３２０付近の空気が吸引される。吸引された空気は装置本体１０に送られる。装置本体１０では、送られた空気が所定の熱処理条件のもとで熱処理される。空気を熱処理することにより、空気中の飛沫核や飛沫に含まれる細菌やウイルス等の病原体を消毒または不活化させることができる。熱処理済みの空気は冷却された後、供給部３０に送られ、使用者３００の顔面３２０付近に供給される。使用者３００の口や鼻付近の外気（熱処理済みでない空気）が熱処理済みの空気に換気されることにより、使用者３００は呼吸の際に外気をほとんど吸わずに熱処理済みの空気を吸うことができる。このため、空気感染および飛沫感染による感染リスクを低減させることができる。なお、使用者３００の口や鼻付近の外気が全て熱処理済みの空気に換気されなくてもよく、使用者３００の口や鼻付近に熱処理済みの空気を供給し、使用者３００が呼吸の際に吸う外気の量を減少させることにより、空気感染および飛沫感染による感染リスクを低減させることができる。
【００３２】
装置本体１０の筐体１１には、両肩に掛けるベルト１３が設けられており、使用者３００は装置本体１０を背負いながら感染症予防装置１００を使用することができる。このため、使用者３００は安静にしている状態だけでなく、歩行や作業等を行いながら感染症予防装置１００を使用することができ、空気感染および飛沫感染による感染症を予防しながら、様々な活動を行うことができる。なお、携帯手段は、使用者３００が背負う手段に限定されず、例えば肩掛け鞄のように肩に掛けたり、手荷物として手で携行してもよい。また自動車や車イスなど使用者３００とともに移動する移動体に搭載するようにしてもよい。
【００３３】
吸気部２０は、捕集部２１および吸気管２３を有している。吸気管２３は、装置本体１０から使用者３００の顔面３２０に向けて延びている。捕集部２１は、吸気管２３の端部に設けられている。捕集部２１には吸気口２５が設けられており、使用者３００の口および鼻付近の空気が吸引される。捕集部２１から吸引された空気は、吸気管２３を介して装置本体１０に送られる。
【００３４】
供給部３０は、送出部３１および供給管３３を有している。供給管３３は、装置本体１０から使用者３００の顔面３２０に向けて延びており、支持部１５によって支持されている。送出部３１は、供給管３３の端部に設けられている。送出部３１には供給口３５が設けられており、装置本体１０で熱処理および冷却された空気が供給口３５から使用者３００の口および鼻付近に供給される。
【００３５】
供給部３０を支持する支持部１５は、ヘッドフォン型であり、ハウジング１６およびヘッドバンド１７を有している。一対のハウジング１６は、使用者３００の側頭部に配置される。ヘッドバンド１７は、一対のハウジング１６を連結する部材であり、一対のハウジング１６を使用者３００の頭部３１０に軽く押し付けて頭部３１０に固定させる部材である。供給管３３は、ハウジング１６に支持されている。
【００３６】
図３は、感染症予防装置の変形例を示す図である。図３ａは支持部１５Ａの正面図であり、図３ｂは支持部１５Ａの背面図である。図３ａおよび図３ｂに示すように、この変形例では、支持部１５Ａが供給部３０Ａの一部を構成している。支持部１５Ａは、ハウジング１６Ｒ、１６Ｌ、およびヘッドバンド１７Ａを有している。ハウジング１６Ｒ、１６Ｌおよびヘッドバンド１７Ａは中空であり、内部で連通している。装置本体１０から延びる供給管３３Ａは、一方のハウジング１６Ｒに連結されている。ハウジング１６Ｒには、送出部３１Ａが設けられており、送出部３１Ａの先端部には空気を供給する第１供給口３５１が設けられている。また、ヘッドバンド１７Ａには、複数の第２供給口３５２が設けられている。
【００３７】
ハウジング１６Ｒには、図示しない切り替え弁が設けられており、切り替え弁を操作することにより、装置本体１０で熱処理された空気を第１供給口３５１と第２供給口３５２のいずれかから供給できるように切り換えることができる。切り替え弁を操作することにより、第１供給口３５１と第２供給口３５２の両方から供給できるようにしてもよい。
【００３８】
第１供給口３５１からの空気は、主に使用者３００の口および鼻付近に向けて供給される。第２供給口３５２からの空気は、例えば使用者３００の顔面３２０の前面に広がるように供給させることができる。
【００３９】
図４は、感染症予防装置の別の変形例を示す図である。図４に示すように、この変形例では、吸引部２０Ｂは支持部１５Ｂに支持されるとともに、支持部１５Ｂが供給部３０Ｂの一部を構成している。支持部１５Ｂは、使用者３００の首の後ろから掛けられるように略Ｕ字状の形状を有している。支持部１５Ｂの内部は中空になっている。
【００４０】
装置本体１０から延びる吸気管２３Ｂは、支持部１５Ｂに支持されながら使用者３００の顔面３２０に向けて延びている。吸気管２３Ｂの端部には、捕集部２１Ｂが設けられており、捕集部２１Ｂの吸気口２５Ｂから、使用者３００の口および鼻付近の空気が吸引される。捕集部２１Ｂから吸引された空気は、吸気管２３Ｂを介して装置本体１０に送られる。
【００４１】
装置本体１０から延びる供給管３３Ｂは、支持部１５Ｂに連結されている。支持部１５Ｂには、複数の供給口３５Ｂが設けられている。装置本体１０で熱処理された空気は、複数の供給口３５Ｂから使用者３００の顔面３２０の前面に広がるように供給される。
【００４２】
［各部の構成］
次に感染症予防装置１００の各部の構成について説明する。図５は、感染症予防装置１００の概略構成を示す図である。図５に示すように、感染症予防装置１００は、装置本体１０、吸気部２０、供給部３０、および活動情報取得部１１０を備えている。装置本体１０は、筐体１１、熱処理部４０、冷却部６０、送気装置７０、制御部８０および電源装置９０を備えている。
【００４３】
筐体１１は、熱処理部４０、送気装置７０、制御部８０、電源装置９０を内部に収容している。冷却部６０は、筐体１１の外部に配置されている。活動情報取得部１１０は、装置本体１０とは別に使用者３００に装着されてもよいが、筐体１１の内部または外部に設けられていてもよい。
【００４４】
吸気部２０は、図１、図２を参照して説明したように、使用者３００の頭部３１０付近に設置されて、その周囲から空気を吸引する部分である。吸気部２０は、捕集部２１、吸気管２３、および吸気口２５を有している。空気は、送気装置７０による吸引力によって吸気口２５から吸引され、吸気管２３を介して熱処理部４０に送られる。
【００４５】
熱処理部４０は、吸気部２０から吸引された空気を通過させながら熱処理する部分である。熱処理は、空気に含まれる病原体を消毒または不活化させるための処理温度と処理時間を含む熱処理条件に基づいて行われる。熱処理条件は、病原体の種類によって異なるが、例えばある種のウイルスについては、７０℃・５分間、あるいは１００℃・２分間の熱処理によって感染性を不活化させることができるとされている。このような熱処理条件に基づいて空気を熱処理することにより、空気に含まれる病原体を消毒または不活化させることができる。熱処理条件のうち、７０℃や１００℃などの温度条件を処理温度とし、５分間や２分間などの時間条件を処理時間とする。
【００４６】
なお、７０℃・５分間、あるいは１００℃・２分間という熱処理条件は一例であり、この処理温度と処理時間の組み合わせに限定されないが、一般的に熱処理条件は、処理温度が高いほど処理時間を短くすることができる。また、７０℃・５分間の熱処理条件に対して、７０℃で１０分間の熱処理を行う場合のように、処理時間を長くすることについては熱処理の効果の上では問題はない。
【００４７】
熱処理部４０は、加熱部５０および送気処理部５５を有している。加熱部５０は吸気部２０から吸引された空気を加熱する部分である。加熱部５０は、例えば通電により抵抗加熱されるコイルや金属板を備えており、加熱されたコイルや金属板に空気を接触させて加熱する。加熱部５０により、空気は予め設定された熱処理条件の処理温度まで加熱される。加熱部５０は、１箇所に設けてもよく、複数箇所に分散させて空気の温度を徐々に上昇させるようにしてもよい。また、送気処理部５５の内部に加熱部５０を設けてもよい。
【００４８】
送気処理部５５は、加熱部５０によって加熱された空気を保温しながら下流の冷却部６０に向けて時間を掛けて送ることにより、空気に対する熱処理を行う部分である。送気処理部５５は、空気を通過させながら熱処理を行うため、空気を通過させるのに要する時間が熱処理条件の処理時間以上となるように設定されている。具体的には、送気処理部５５の空気流路の容積は、単位時間あたりの空気流量と、空気を通過させるのに要する時間（処理時間）との関係から設定することができる。
【００４９】
例えば、熱処理条件を７０℃・５分間とし、毎分２Ｌ（リットル）以上の空気を使用者３００に供給するには、送気処理部５５の容積は１０Ｌ以上に設定する必要がある。また、熱処理条件を１００℃・２分間とし、毎分１０Ｌ以上の空気を使用者３００に供給するには、送気処理部５５の容積は２０Ｌ以上に設定する必要がある。
【００５０】
反対に、送気処理部５５の容積を２０Ｌとした場合、熱処理条件の処理温度を７０℃とし、毎分２Ｌの空気を使用者３００に供給するには、空気が送気処理部５５を通過するのに要する時間は１０分間となって、７０℃・５分間の熱処理条件を満たすことができる。このため、例えば送気処理部５５の容積を２０Ｌとすれば、熱処理条件の７０℃・５分間を満たしながら毎分２Ｌの空気を使用者３００に供給することが可能であるとともに、熱処理条件の１００℃・２分間を満たしながら毎分１０Ｌの空気を使用者３００に供給することも可能である。
【００５１】
送気処理部５５は、複数の曲折部５６が設けられており、空気の流路を複数個所で屈曲させて蛇行するように構成されている。これにより、送気処理部５５内を通過する空気は撹拌されながら温度が均等になるように熱処理が行われる。このため、空気に含まれる細菌やウイルス等をムラなく確実に消毒または不活化することができる。
【００５２】
なお、送気処理部５５は、加熱部５０によって加熱された空気を保温して送るだけでなく、空気流路の途中にも加熱部５０を設けて、空気を加熱しながら送るようにしてもよい。
【００５３】
本実施形態の送気処理部５５は、中空の処理体５７の内部空間を仕切り板５８で仕切ることによって空気の流路が蛇行するように構成されているが、管状の部材を蛇行するように折り曲げることによって送気処理部５５を構成してもよい。
【００５４】
冷却部６０は、熱処理部４０で熱処理された空気を冷却する熱交換器である。本実施形態では、冷却部６０は熱処理部４０から送気された空気を放熱させながら供給部３０に向けて送気する。冷却部６０は、例えば金属管を屈曲させて構成することができる。また、冷却部６０を複数の管で構成し、各管に放熱フィンを設けて冷却効率を向上させるようにしてもよい。
【００５５】
なお、冷却手段は、自然冷却に限定されず、ファンやクーラーによる強制冷却手段を用いてもよい。また冷却部６０の冷却効率を向上させるため、冷却部６０は筐体１１の外部に配置することが好ましい。
【００５６】
供給部３０は、図１、図２を参照して説明したように、使用者３００の頭部３１０付近に設置されて、熱処理後に冷却部６０で冷却された空気を使用者３００に供給する部分である。供給部３０は、送出部３１、供給管３３、および供給口３５を有している。空気は、送気装置７０によって送気され、供給口３５から外部に送出される。
【００５７】
送気装置７０は、吸気部２０から熱処理部４０および冷却部６０を介して、供給部３０まで空気を送出させる装置である。送気装置７０として、例えばファンを用いることができるが、これに限定されない。図５では送気装置７０を吸気管２３の途中に１箇所設けているが、配置位置や配置数は限定されない。例えば、供給管３３の途中にも送気装置７０を配置してもよい。さらに空気流量の調整は、送気装置７０の出力を調整することで行ってもよく、バルブなどを設けて空気流量を調整するようにしてもよい。
【００５８】
送気装置７０は、一定の流量で送気するだけでなく、脈動あるいは間欠的に送気するものでもよい。例えば、送気装置に設けた空気室に空気を吸い込む行程と、空気室から空気を吐き出す行程を繰り返して間欠的に送気してもよい。このように脈動あるいは間欠的に送気して熱処理済みの空気を使用者３００に供給することにより、使用者３００の頭部３１０付近に供給する空気の流速を変化させることができ、頭部３１０付近の外気を撹拌しながら換気することができる。
【００５９】
制御部８０は、空気に含まれる病原体を消毒または不活化させるための熱処理条件を満たして空気を熱処理するように、熱処理部４０および送気装置７０の駆動を制御する。また、制御部８０は、活動情報取得部１１０で取得された、使用者３００の活動レベルに関する活動情報に基づいて、熱処理条件を変えて熱処理したり、空気供給量を変えるように熱処理部４０および送気装置７０の駆動を制御する。制御部８０の構成については後に詳細に説明する。
【００６０】
電源装置９０は、熱処理部４０、送気装置７０および制御部８０を駆動させる電力を供給する。
【００６１】
活動情報取得部１１０は、使用者３００の活動レベルに関する情報である活動情報を取得する。使用者３００の活動レベルは、横臥や座った姿勢の状態や、立った状態や歩いている状態など、使用者３００の活動状態のことである。本実施形態では、使用者３００の活動レベルを６段階のカテゴリーに分けるものとする。
【００６２】
図８に示すように、使用者３００の活動レベルが異なると、単位時間あたりに呼吸する空気量（呼吸量）も変化する。本実施形態に係る感染症予防装置１００は、活動情報取得部１１０で取得した活動情報に基づいて、使用者３００の活動レベルが低く呼吸量が少ない状態では自動的に空気供給量を少なくし、使用者３００の活動レベルが高く呼吸量が多い状態では空気供給量を自動的に多くするように構成されている。
【００６３】
活動情報取得部１１０が取得する活動情報は、使用者３００の活動レベルを６段階のカテゴリーのうち、どのカテゴリーに属するかを判定するための情報である。活動情報は、例えば、使用者３００の単位時間あたりの呼吸回数、心拍数、体温などの生体情報や、使用者３００の位置情報などが含まれる。これらの情報は、使用者３００が装着可能な呼吸センサ、心拍センサ、体温センサ、ＧＮＳＳ（Ｇｌｏｂａｌ  Ｎａｖｉｇａｔｉｏｎ  Ｓａｔｅｌｌｉｔｅ  Ｓｙｓｔｅｍ）センサなどによって取得することができる。活動情報取得部１１０の各種センサが検出した検出信号は、制御部８０に入力される。
【００６４】
図６は、装置本体１０の内部構造を示す図である。図６に示すように、筐体１１の内部には、熱処理部４０（加熱部５０、送気処理部５５）、送気装置７０、制御部８０、および電源装置９０が収容されている。冷却部６０は、筐体１１の外部に配置されている。筐体１１は、使用者３００が背負って携帯できるように構成されている。このため、吸気管２３および供給管３３は、使用者３００の頭部３１０に近い筐体１１の上部に設けられている。また、加熱部５０は筐体１１の上部に設けられ、送気処理部５５は加熱部５０の下方に配置されている。このため、冷却部６０は、筐体１１の下部において送気処理部５５に連結され、筐体１１の下部から側部を通って上部に向けて配置させることが可能となり、冷却部６０の長さを長くして冷却能力を高めることができる。
【００６５】
［熱処理制御システム］
図７は、熱処理制御システム２００の構成を示す概略図である。熱処理制御システム２００は、感染症予防装置１００の運転を制御するシステムである。図７では、熱処理制御システム２００のうち、熱処理における加熱温度および加熱時間と、使用者３００に供給する空気供給量を制御するための構成を示している。熱処理制御システム２００は、活動情報取得部１１０、制御部８０、熱処理部４０（加熱部５０、送気処理部５５）、および送気装置７０を備えている。
【００６６】
活動情報取得部１１０は、呼吸センサおよび心拍センサを有している。呼吸センサおよび心拍センサからの検出信号は、制御部８０に入力される。制御部８０は、呼吸センサおよび心拍センサからの検出信号に基づいて呼吸数および心拍数を算出し、それに基づいて使用者３００の活動レベルに応じた空気供給量となるように熱処理部４０（加熱部５０、送気処理部５５）、および送気装置７０の駆動を制御する。
【００６７】
制御部８０には、熱処理部４０および送気装置７０が接続されている。制御部８０は、熱処理部４０を構成する加熱部５０および送気処理部５５を制御するとともに、送気装置７０を制御することにより、空気を熱処理する処理温度および処理時間や、使用者３００に供給する空気供給量を制御する。
【００６８】
制御部８０は、熱処理条件記憶部８１、熱処理モード判定部８３、および駆動制御部８５を備えている。
【００６９】
熱処理条件記憶部８１は、熱処理部４０および送気装置７０の動作に関するデータを記憶している。熱処理条件記憶部８１には、熱処理モード判定基準データＤＥ１、および熱処理モード制御データＤＥ２が保存されている。
【００７０】
熱処理モード判定基準データＤＥ１には、使用者３００の活動情報に基づいて、使用者３００の活動レベルを判定するための判定基準と、活動レベルに応じた熱処理モードを判定するための判定基準が記録されている（図９参照）。
【００７１】
熱処理モード制御データＤＥ２には、熱処理条件（処理温度、処理時間）と、空気供給量とを組み合わせた複数の熱処理モードが記憶されている。また、熱処理モード制御データＤＥ２には、判定された熱処理モードに対応した熱処理条件を満たすように熱処理部４０および送気装置７０の駆動を制御するためのデータも記録されている（図１０参照）。
【００７２】
熱処理モード判定部８３は、熱処理条件記憶部８１に記憶されている熱処理モード判定基準データＤＥ１を参照し、活動情報から算出された使用者３００の呼吸数および心拍数に基づいて、使用者３００の活動レベル（図８の６段階のカテゴリー）を判定し、その活動レベルに応じた空気供給量および熱処理条件となる熱処理モードを選択する。
【００７３】
ここで、図８の６段階のカテゴリーについて説明する。図８は、使用者３００の活動レベルと呼吸率の関係を示す図であり、放射線医学総合研究所  ラドン濃度測定・線量評価委員会（１９９８）による「行動別日本人の呼吸率と生活時間」から引用したものである。図８に示すように、カテゴリー１（Ｉ）（睡眠と安らかな横臥）からカテゴリー６（ＶＩ）速やかな歩行）まで活動レベルが上がるに従って呼吸率（１時間あたりの空気量）が増大する。このとき、使用者３００の活動レベルが上がるに従って、使用者３００の呼吸数および心拍数も増大する。この関係により、熱処理モード判定部８３は、活動情報から算出された使用者３００の呼吸数および心拍数に基づいて、使用者３００の活動レベル（図８の６段階のカテゴリー）を判定し、その活動レベルに応じた空気供給量および熱処理条件となる熱処理モードを熱処理モード判定基準データＤＥ１（図９）に基づいて選択する。
【００７４】
図７に戻って、駆動制御部８５は、熱処理条件記憶部８１に記憶されている熱処理モード制御データＤＥ２を参照し、熱処理モード判定部８３で選択された熱処理モードで空気の熱処理が行われるように、熱処理部４０および送気装置７０の駆動を制御する。
【００７５】
図９は、熱処理モード判定基準データＤＥ１に記録された使用者３００の活動レベル（カテゴリー）と熱処理モードについての関係を示す表である。図９では、活動情報取得部１１０が取得する活動情報（呼吸回数、心拍数、体温などの生体情報）から判定される使用者３００の活動レベル（図８の６段階のカテゴリー）と、それに対応する熱処理モードとの関係が示されている。
【００７６】
活動情報取得部１１０が取得する活動情報により、使用者３００の活動レベルが図８のカテゴリー１（Ｉ）またはカテゴリー２（ＩＩ）と判定された場合は、対応する熱処理モードは「弱」と判定される。同様に、使用者３００の活動レベルが図８のカテゴリー３（ＩＩＩ）またはカテゴリー４（ＩＶ）と判定された場合は、対応する熱処理モードは「中」と判定され、使用者３００の活動レベルが図８のカテゴリー５（Ｖ）またはカテゴリー６（ＶＩ）と判定された場合は、対応する熱処理モードは「強」と判定される。
【００７７】
図１０は、熱処理モード制御データＤＥ２に記録された熱処理モードと処理温度、処理時間、および空気供給量についての関係を示す表である。
【００７８】
図１０に示すように、熱処理モード「弱」に対応する熱処理条件（処理温度・処理時間）は、７０℃・５分であり、空気供給量は「小」である。空気供給量が「小」とされているのは、熱処理モード「弱」は、使用者３００の活動レベルのカテゴリー１（Ｉ）またはカテゴリー２（ＩＩ）に対応しており、供給する空気量が少なくてもよいためである。また、空気供給量が「小」であれば熱処理部４０（加熱部５０および送気処理部５５）で時間を掛けて熱処理できるため、使用電力が比較的少ない熱処理条件（７０℃・５分）で空気を熱処理することとしている。
【００７９】
熱処理モード「中」に対応する熱処理条件（処理温度・処理時間）は、１００℃・２分であり、空気供給量は「中」である。空気供給量が「中」とされているのは、熱処理モード「中」は、使用者３００の活動レベルのカテゴリー３（ＩＩＩ）またはカテゴリー４（ＩＶ）に対応しており、供給する空気量は、熱処理モード「弱」よりも多くする必要があるためである。また、空気供給量が「中」になると熱処理部４０（加熱部５０および送気処理部５５）において短い時間で熱処理を行う必要があるため、処理時間が比較的短い熱処理条件（１００℃・２分）で空気を熱処理することとしている。
【００８０】
熱処理モード「強」に対応する熱処理条件（処理温度・処理時間）は、１００℃・２分であり、空気供給量は「強」である。空気供給量が「大」とされているのは、熱処理モード「強」は、使用者３００の活動レベルのカテゴリー５（Ｖ）またはカテゴリー６（ＶＩ）に対応しており、供給する空気量は、熱処理モード「中」よりも多くする必要があるためである。また、空気供給量が「大」になると熱処理部４０（加熱部５０および送気処理部５５）において短い時間で熱処理を行う必要があるため、処理時間が比較的短い熱処理条件（１００℃・２分）で空気を熱処理することとしている。
【００８１】
［実施形態１の効果］
以上説明した実施形態１に係る感染症予防装置１００によれば、吸気部２０で吸引された空気は、熱処理部４０を通過しながら所定の熱処理条件で熱処理されることにより、空気中の飛沫核や飛沫に含まれる細菌やウイルス等の病原体が消毒または不活化される。そして、熱処理部４０で熱処理された空気は、冷却部で冷却された後、供給部３０から使用者３００に供給される。
このため、マスクのように口や鼻を覆うことなく飲食時等にも使用することができ、空気清浄機のようにフィルター交換等のメンテナンスが不要であり、消毒薬のように生体に対して悪影響を及ぼすことなく、空気中の飛沫核や飛沫に含まれる細菌やウイルス等の病原体を消毒または不活化させることができ、空気感染および飛沫感染による感染症を予防することができる。
【００８２】
また、制御部８０は、使用者３００の活動レベルに関する活動情報を取得し、使用者３００の活動レベルに応じた空気供給量となる熱処理条件を満たすように熱処理部４０および送気装置７０の駆動を制御する。このため、使用者３００の活動レベルに応じて空気供給量を変更させることができる。
これにより、使用者３００の活動レベルが低く、必要な空気供給量が比較的少ない場合は、熱処理部４０を通過させる空気流量を少なくすることができるため、処理温度が比較的低く処理時間が比較的長い熱処理条件を選択して消費エネルギーを抑制することができる。
また、使用者３００の活動レベルが高く、必要な空気供給量が比較的多い場合は、熱処理部４０を通過させる空気流量を多くする必要があるため、処理温度が比較的高く処理時間が比較的短い熱処理条件を選択して空気流量を多くすることができる。
【００８３】
［実施形態２］
次に、実施形態２に係る感染症予防装置１００Ａについて説明する。図１１は、本発明の実施形態２に係る感染症予防装置１００Ａの使用状態を示す図である。実施形態２では、感染症予防装置１００Ａは閉鎖空間４００内に熱処理された空気を供給する点で実施形態１の感染症予防装置１００と異なっている。以下では、実施形態１の感染症予防装置１００と異なる点について説明する。
【００８４】
図１１では、閉鎖空間４００内に使用者３００が入っており、感染症予防装置１００Ａで熱処理された空気が閉鎖空間４００内の使用者３００に供給されている状態が示されている。感染症予防装置１００Ａは、装置本体４１０、吸気部４２０、および供給部４３０を備えている。
【００８５】
感染症予防装置１００Ａは、床面などに据え置いて使用するように構成されている。装置本体４１０および吸気部４２０は、閉鎖空間４００の外に配置されており、供給部４３０は、閉鎖空間４００内の使用者３００の頭部３１０付近に配置されている。吸気部４２０は、閉鎖空間４００の外の空気を吸引し、供給部４３０は、装置本体４１０で熱処理された空気を閉鎖空間４００内に供給する。
【００８６】
なお、本実施形態では、供給部４３０は、横臥する使用者３００付近に空気を供給することとしたが、それに限定されない。例えば室内のイスなどに供給部４３０を設けてもよい。
【００８７】
本実施形態では、装置本体４１０を閉鎖空間４００の外に配置したが、装置本体４１０を閉鎖空間４００の内部に配置してもよい。例えば、閉鎖空間４００を自動車の車内とした場合、自動車内に装置本体４１０を設置してもよい。また、吸気部４２０も閉鎖空間４００の外ではなく、閉鎖空間４００の内部に設置してもよい。例えば、閉鎖空間４００をタクシーの車内とした場合、装置本体４１０、吸気部４２０、および供給部４３０をタクシー内に設置し、供給部４３０を客室内の区画パネルに設置し、乗客や乗務員に熱処理済みの空気を供給してもよい。
【００８８】
装置本体４１０を駆動する電源装置は、内蔵する電源装置であってもよいが、外部の商用電源を用いてもよい。
【００８９】
［実施形態２の効果］
以上説明した実施形態２に係る感染症予防装置１００Ａによれば、吸気部４２０は、閉鎖空間４００の内部または外部の空気を吸引し、供給部４３０は、閉鎖空間４００内に熱処理部および冷却部で処理された空気を供給する。
このため、細菌やウイルス等の病原体を消毒または不活化させた熱処理済みの空気を閉鎖空間４００内に供給することができ、閉鎖空間４００内における空気感染および飛沫感染による感染症を予防することができる。
【００９０】
［実施形態３］
次に、実施形態３に係る感染症予防装置１００Ｂについて説明する。図１２は、本発明の実施形態３に係る感染症予防装置１００Ｂの概略構成を示す図である。実施形態３では、送気装置７０Ｂが間欠的に送気して熱処理済みの空気を使用者３００に供給する点で実施形態１の感染症予防装置１００と異なっている。以下では、実施形態１の感染症予防装置１００と異なる点について説明する。
【００９１】
図１２に示すように、感染症予防装置１００Ｂは、装置本体１０Ｂ、吸気部２０、供給部３０、および活動情報取得部１１０を備えている。装置本体１０は、筐体１１Ｂ、熱処理部４０、冷却部６０、送気装置７０Ｂ、制御部８０および電源装置９０を備えている。
【００９２】
送気装置７０Ｂは、送気装置本体７１、仕切部７２、および仕切駆動部７３を有している。送気装置本体７１の内部には空気室７４が形成されている。空気室７４は、仕切部７２によって第１空気室７４１と第２空気室７４２に区画されている。仕切部７２は、空気室７４の内部おいて往復動可能に配置されており、仕切駆動部７３は、仕切部７２を空気室７４の内部おいて往復動させる。第１空気室７４１および第２空気室７４２は、仕切駆動部７３によって仕切部７２が空気室７４内で往復動されることにより、容積が変化するように構成されている。
【００９３】
第１空気室７４１には、第１通気部７５１および第２通気部７５２が設けられている。第２空気室７４２には、第３通気部７５３および第４通気部７５４が設けられている。第１通気部７５１は、吸気部２０に接続されており、第２通気部７５２は、熱処理部４０の加熱部５０に接続されている。第３通気部７５３は、熱処理部４０の送気処理部５５に接続されており、第４通気部７５４は、冷却部６０に接続されている。
【００９４】
第１通気部７５１、第２通気部７５２、第３通気部７５３、および第４通気部７５４には、それぞれ逆止弁７６１、７６２、７６３、７６４が設けられている。逆止弁７６１は、第１空気室７４１内への吸気を許容し、第１空気室７４１外への排気を制限する。逆止弁７６２は、第１空気室７４１外への排気を許容し、第１空気室７４１内への吸気を制限する。逆止弁７６３は、第２空気室７４２内への吸気を許容し、第２空気室７４２外への排気を制限する。逆止弁７６４は、第２空気室７４２外への排気を許容し、第２空気室７４２内への吸気を制限する。
【００９５】
このため、仕切部７２を図示右方に移動させ、第１空気室７４１の容積を増大させて第１空気室７４１内に吸気する状態では、吸気部２０から吸気された外気が第１通気部７５１を介して第１空気室７４１内に供給される。
【００９６】
一方、仕切部７２を図示左方に移動させ、第１空気室７４１の容積を減少させて第１空気室７４１内から排気する状態では、第１空気室７４１内の空気が第２通気部７５２を介して加熱部５０に供給される。
【００９７】
また、仕切部７２を図示右方に移動させ、第１空気室７４１の容積を増大させている状態では、第２空気室７４２の容積を減少させて第２空気室７４２内から排気する状態となるため、第２空気室７４２内の空気が第４通気部７５４を介して冷却部６０に供給される。
【００９８】
一方、仕切部７２を図示左方に移動させ、第１空気室７４１の容積を減少させている状態では、第２空気室７４２の容積が増大して第２空気室７４２内に吸気する状態となるため、熱処理部４０で熱処理された空気が第３通気部７５３を介して第２空気室７４２内に供給される。
【００９９】
このように仕切部７２を空気室７４内で往復動させることにより、第１空気室７４１および第２空気室７４２に空気を吸い込む行程と、空気を吐き出す行程を交互に繰り返し行うこととなる。これにより、熱処理済みの空気を使用者３００に間欠的に供給することとなり、使用者３００の頭部３１０付近に供給する空気の流速を変化させることができ、頭部３１０付近の外気を効率よく換気することができる。
【０１００】
［変形例］
本発明に係る感染症予防装置は、上記説明した本実施形態に限定されない。例えば、実施形態１の感染症予防装置１００では、使用者３００の活動レベルに応じて運転モードが自動的に切り替わる構成としたが、使用者３００が手動で運電モードを選択できるようにしてもよい。
【０１０１】
以上、本発明の実施形態を説明したが、上述した実施形態は本発明を実施するための例示に過ぎない。よって、本発明は上述した実施形態に限定されることなく、その趣旨を逸脱しない範囲内で上述した実施形態を適宜変形して実施することが可能である。
【符号の説明】
【０１０２】
１００  感染症予防装置
２０    吸気部
２５    吸気口
３０    供給部
３５    供給口
４０    熱処理部
５０    加熱部
５５    送気処理部
６０    冷却部
７０    送気装置
８０    制御部
【要約】
【課題】空気感染および飛沫感染による感染症を予防することができる感染症予防装置を提供する。
【解決手段】空気を吸引する吸気口２５を有する吸気部２０と、吸気部２０から吸引された空気を通過させながら熱処理する熱処理部４０と、熱処理部４０で熱処理された空気を冷却する冷却部６０と、冷却部６０で冷却された空気を使用者に供給する供給口３５を有する供給部３０と、吸気部２０から供給部３０まで空気を通過させるように空気を送る送気装置７０と、制御部８０と、を備え、熱処理部４０は、空気を加熱する加熱部５０と、加熱部５０によって加熱された空気をさらに加熱および／または保温しながら冷却部６０に向けて送る送気処理部５５と、を有し、制御部８０は、空気に含まれる病原体を消毒または不活化させるための処理温度と処理時間を含む熱処理条件を満たすように、熱処理部４０および送気装置７０の駆動を制御する。
【選択図】図１【図１】
0006954702.tif 000002
【図２】
0006954702.tif 000003
【図３】
0006954702.tif 000004
【図４】
0006954702.tif 000005
【図５】
0006954702.tif 000006
【図６】
0006954702.tif 000007
【図７】
0006954702.tif 000008
【図８】
0006954702.tif 000009
【図９】
0006954702.tif 000010
【図１０】
0006954702.tif 000011
【図１１】
0006954702.tif 000012
【図１２】
0006954702.tif 000013